(57)【要約】      （修正有）【課題】携帯電話機を帽子に保持することが容易にでき、携帯電話機をハンズフリーで使用可能とする帽子用携帯電話機保持具を提供する。【解決手段】携帯電話機をハンズフリーで使用可能とする帽子用携帯電話機保持具１であって、保持部１０と、係止部２０と、耳掛け部３０とから構成され、前記保持部には、携帯電話機を使用者の耳部の上部位置から口元にかけて傾けた状態で保持するためのボックス保持体１１を有し、前記係止部には、前記保持部を帽子へ取り付けるための係止クリップ２２を有し、前記耳掛け部には、使用者の外耳部位に掛かる耳掛けフックを設けた手段と、前記保持機構が、弾性部材で挟持する構造、又は面ファスナーで貼着する構造である手段と、前記係止機構が、係止具で係止する構造、又は面ファスナーで貼着する構造を採用した手段と、前記携帯電話機の保持部に脱落防止機構を備えた手段を採る。【選択図】図１
0003167714.tif 000002
【実用新案登録請求の範囲】
【請求項１】
携帯電話機をハンズフリーで使用可能とする帽子用携帯電話機保持具であって、
保持部と、
係止部と、
耳掛け部と、から構成され、
前記保持部には、携帯電話機を使用者の耳部の上部位置から口元にかけて傾けた状態で保持するための保持機構を有し、
前記係止部には、前記保持部を帽子へ取り付けるための係止機構を有し、
前記耳掛け部には、使用者の外耳部位に掛かる耳掛けフックを設けたことを特徴とする帽子用携帯電話機保持具。
【請求項２】
前記保持機構が、弾性部材で挟持する構造、又は面ファスナーで貼着する構造であることを特徴とする請求項１に記載の帽子用携帯電話機保持具。
【請求項３】
前記係止機構が、係止具で係止する構造、又は面ファスナーで貼着する構造を採用したものであることを特徴とする請求項１に記載の帽子用携帯電話機保持具。
【請求項４】
前記携帯電話機の保持部に脱落防止機構を備えたことを特徴とする請求項１から請求項３のいずれかに記載の帽子用携帯電話機保持具。
【考案の詳細な説明】
【技術分野】
【０００１】
本考案は、携帯電話機を帽子に保持することが容易にでき、携帯電話機をハンズフリーで使用可能とする帽子用携帯電話機保持具に関する。
【背景技術】
【０００２】
２００４年１１月１日に改正道路交通法が施行され、運転中の携帯電話の使用に対する罰則が強化され、運転中に携帯電話を使用したり、メールを読むために画面を見たりすると５万円以下の罰金刑と、違反点数１点と反則金の行政処分が科されることになったが、ハンズフリー装置を使った携帯電話の使用は、その罰則の対象外となったことから、自動車運転中におけるハンズフリー装置の需要は近年急速に増えてきている。
【０００３】
また、両手を使った作業中に携帯電話がかかってきた場合、その作業の手を一旦を止めて携帯電話に出なければならず、そのような動作は、作業効率や作業進行に際して多少ならずも経済コストの損失につながるものであった。
【０００４】
従来より上記のような問題点を解決しようと、帽子の横面に、携帯電話・ＰＨＳ等を収納できるポケットを設けた「携帯電話・ＰＨＳ用ポケット付き帽子」（特許文献１参照）が提案され、公知技術となっている。
【０００５】
しかしながら、上記の「携帯電話・ＰＨＳ用ポケット付き帽子」（特許文献１参照）は、帽子の横面に携帯電話・ＰＨＳ等を収納できるポケットを設けた構造であるため、使用者の好みや仕事の内容に係わらずその帽子を購入ならびに着用しなければならず、選択範囲を自由を著しく制約するものであった。また、構造的には、使用者の耳部の上部位置から口元にかけて傾けた状態で保持するための保持機構を有していないため、顔の前でぶら下がった状態になり、通話中における携帯電話の保持姿勢を継続して維持できないものであった。
【０００６】
また、ヘッドフォンアームを使用して携帯電話のハンズフリー機能を有効にする携帯電話保持具が提案されている。例えば、「送受話器の保持具」（特許文献２参照）や「通信装置の保持構造」（特許文献３参照）が提案され、公知技術となっている。
【０００７】
しかしながら、上記の「送受話器の保持具」（特許文献２参照）や「通信装置の保持構造」（特許文献３参照）は、ヘッドフォンアームなどの装着保持具を必要とするものであり購入コストがかかることや、会話に出る前に携帯電話を装着保持具に装着しなければならないなど装着時の操作性に問題が残るものであった。
【０００８】
また、携帯電話の本体に使用者の耳殻を挟むフック金具を設けた「携帯電話の保持具」（特許文献４参照）提案され、公知技術となっている。
【０００９】
しかしながら、上記の「携帯電話の保持具」（特許文献４参照）は、使用者の耳殻に携帯電話に取り付けられたフック金具でぶら下げる構造であるため、安定感に乏しく、使用状態の姿勢によっては携帯電話が落下する可能性もあるものであった。
【００１０】
以上のように、従来の携帯電話の保持具は、ヘッドフォンアームなどの装着保持具を必要としたり、使用時の安定感に乏しい上、使用状態の姿勢によっては落下する可能性もあるものであった。
【００１１】
本出願人は、以上のような携帯電話の保持具の現状を鑑み、ヘッドフォンアームなどの装着保持具を必要とすることなく、軽量且つ廉価で、装着時の安定感を備えると共に、日常的に使用される帽子に落下防止装置を備えた携帯電話の保持具を考案し、本考案における帽子用携帯電話機保持具の提案に至るものである。
【先行技術文献】
【特許文献】
【００１２】
【特許文献１】特開２００２-２２０７２３公報
【特許文献２】特開２００２-３７４３３６公報
【特許文献３】特開２００４-１３５０２６公報
【特許文献４】特開２００１-２６８１９１公報
【考案の概要】
【考案が解決しようとする課題】
【００１３】
本考案は、上記問題点に鑑み、携帯電話機を帽子に保持することが容易にでき、携帯電話機をハンズフリーで使用可能とする帽子用携帯電話機保持具の提供を図る。
【課題を解決するための手段】
【００１４】
本考案の帽子用携帯電話機保持具は、携帯電話機をハンズフリーで使用可能とする帽子用携帯電話機保持具であって、保持部と、係止部と、耳掛け部と、から構成され、前記保持部には、携帯電話機を使用者の耳部の上部位置から口元にかけて傾けた状態で保持するための保持機構を有し、前記係止部には、前記保持部を帽子へ取り付けるための係止機構を有し、前記耳掛け部には、使用者の外耳部位に掛かる耳掛けフックを設けた手段を採る。
【００１５】
また本考案の帽子用携帯電話機保持具は、前記保持機構が、弾性部材で挟持する構造、又は面ファスナーで貼着する構造である手段を採る。
【００１６】
また本考案の帽子用携帯電話機保持具は、前記係止機構が、係止具で係止する構造、又は面ファスナーで貼着する構造を採用した手段を採る。
【００１７】
また本考案の帽子用携帯電話機保持具は、前記携帯電話機の保持部に脱落防止機構を備えた手段を採る。
【考案の効果】
【００１８】
本考案の帽子用携帯電話機保持具によれば、保持部の挿入口に携帯電話機を単に差し込むことによって使用者の外耳部位の上部から口元にかけて傾けた状態で安定的に装着され、さらに使用後においては、その保持部の挿入口から携帯電話機を単に引き抜くことによって容易に着脱することができる優れた効果を奏する。
【００１９】
また本考案の帽子用携帯電話機保持具によれば、保持具の一端部に耳掛けフック部を備えているため、使用者の外耳部位の上部から口元にかけて傾けた状態で安定的に維持できる優れた効果を奏する。
【００２０】
また本考案の帽子用携帯電話機保持具によれば、保持具の一端部にフック穴を備えているため、そのフック穴に、携帯電話のストラップを引っ掛けることにより携帯電話の落下防止が図れる優れた効果を奏する。
【００２１】
また本考案の帽子用携帯電話機保持具によれば、構造が極めて簡単且つ、軽量であるため、合成樹脂材料における成形部品での大量生産を可能とし、製造コストも廉価にできる優れた効果を奏する。
【図面の簡単な説明】
【００２２】
【図１】本考案の帽子用携帯電話機保持具の全体を示す説明図ある。（実施例１）
【図２】本考案の帽子用携帯電話機保持具の保持機構を示す断面説明図ある。（実施例２）
【図３】本考案の帽子用携帯電話機保持具の係止機構を示す断面説明図ある。（実施例３）
【図４】本考案の帽子用携帯電話機保持具の使用状態を示す説明図ある。（実施例４）
【考案を実施するための形態】
【００２３】
本考案の帽子用携帯電話機保持具は、携帯電話機をハンズフリーで使用可能とする帽子用携帯電話機保持具であって、保持部と、係止部と、耳掛け部と、から構成され、前記保持部には、携帯電話機を使用者の耳部の上部位置から口元にかけて傾けた状態で保持するための保持機構を有し、前記係止部には、前記保持部を帽子へ取り付けるための係止機構を有し、前記耳掛け部には、使用者の外耳部位に掛かる耳掛けフックを設けた手段を採ったことを最大の特徴とするもので、以下、実施例を図面を基に説明する。
【００２４】
また、本考案の帽子用携帯電話機保持具の形状は、下記に述べる実施例に特に限定されるものでなく、本考案の技術的思想に逸脱しない範囲で任意に変更することができる。
【実施例１】
【００２５】
図１は、本考案の帽子用携帯電話機保持具の全体を示す説明図ある。
携帯電話機保持具１は、携帯電話機Ｋをハンズフリーで使用可能とする帽子に装着される携帯電話機の保持具であって、保持部１０と、係止部２０と、耳掛け部３０とから構成される。
【００２６】
保持部１０は、携帯電話機Ｋを使用者の外耳部位Ｙの上部から口元にかけて傾けた状態で保持するための保持機構を有して形成されるもので、プラスチックなどの合成樹脂素材を成型した矩形のボックス保持体１１を形成し、下方部には、携帯電話機Ｋを挿入する挿入口１３を設け、前方側面には、携帯電話機Ｋの脱落防止を図る脱落防止機構を備え、後方側面には携帯電話機Ｋの傾き状態を安定的に支える耳掛け部３０を設け、装着側側面には帽子Ｃの開口部に嵌められる係止部２０が設けられて形成されている。
【００２７】
挿入口１４は、ボックス保持体１１の下方部に設けられ、携帯電話機Ｋが挿入される開口部がやや広がり持って形成されると共に、取り付け状態に対して使用者の外耳部位Ｙの上部から口元にかけて傾けた状態となる傾斜を持って形成され、さらに合成ゴム、板バネ、スポンジなどの弾性部材１２を内張りし、その弾性力で携帯電話機Ｋを挟持する構造を形成している。
【００２８】
保持機構は、ボックス保持体１１内に合成ゴム、板バネ、スポンジなどの弾性部材１２を内張りし、その弾性力で携帯電話機Ｋを挟持する構造と、面ファスナー５０をボックス体１１内に貼着し、携帯電話機Ｋの背面に面ファスナー５０を貼着して互いの面ファスナー同士を連結させる構造を有する。
【００２９】
係止部２０は、携帯電話機保持具１の保持部１０を帽子Ｃに取り付けるための係止機構を有して形成されるもので、プラスチックなどの合成樹脂素材や金属板材を成型した係止クリップ２２や面ファスナー２３などの係止機構を備えて帽子Ｃとボックス保持体１１とを連結するものである。
【００３０】
係止機構は、係止クリップ２２や面ファスナー２３などの係止具２１で形成されるもので、ボックス保持体１１の内側に連結される係止クリップ２２で形成され、直接帽子Ｃの開口部に挟み込んで取り付ける構造と、その係止クリップ２２の表面に面ファスナー２３を貼着し、帽子Ｃ側にも面ファスナー２３を貼着して互いの面ファスナー同士を連結させる構造を採るものである。
【００３１】
耳掛け部３０は、使用者の外耳部位Ｙ（メガネフレームの蔓が掛けられる部位）に掛かる耳掛けフック３１をボックス保持体１１の後方側面に設け、装着時に使用者の外耳部位Ｙの根元に掛けられるフック状の形状を形成することにより、携帯電話機Ｋの傾き状態を安定的に支えると共に、口元方向に添わせる構造を有して形成されている。
【００３２】
脱落防止機構は、ボックス保持体１１の前方側面に設けられ、携帯電話機ＫのストラップＳをフック穴４０に引っ掛けて通話中の携帯電話機Ｋの脱落防止を図る目的で設けられるものである。
【実施例２】
【００３３】
図２は、本考案の帽子用携帯電話機保持具の保持機構を示す断面説明図ある。
図（a）は、保持機構が弾性部材である場合の挿入状態を示す説明図である。
ボックス保持体１１内にゴム、板バネ、スポンジなどの弾性部材１２を内張りし、その弾性力で携帯電話機Ｋを挟持する構造で保持されるもので、携帯電話機Ｋの外観を傷つけることなくソフトタッチで脱着することができるものである。
【００３４】
図（ｂ）は、保持機構が面ファスナーである場合の取り付け状態を示す説明図である。
ボックス保持体１１内に面ファスナー５０を貼着し、携帯電話機Ｋの背面に面ファスナー５０を貼着して互いの面ファスナー同士を連結・係止させるもので、携帯電話機Ｋをワンタッチで脱着することができる。
【実施例３】
【００３５】
図３は、本考案の帽子用携帯電話機保持具の係止機構を示す断面説明図ある。
図（a）は、係止機構が面ファスナーである場合の取り付け状態を示す説明図である。
ボックス保持体１１の内側に面ファスナー２３を貼着し、帽子Ｃに貼着された面ファスナー２３に直接取り付けるもので、携帯電話機Ｋをワンタッチで脱着することができる。
【００３６】
図（ｂ）は、係止機構が面ファスナーである場合の取り付け状態を示す説明図である。
ボックス保持体１１内側側面に設けられる係止クリップ２２に面ファスナー５０を貼着すると共に、携帯電話機Ｋの背面に面ファスナー５０を貼着して互いの面ファスナー同士を連結・係止させるもので、携帯電話機Ｋをワンタッチで脱着することができる。
【実施例４】
【００３７】
図４は、本考案の帽子用携帯電話機保持具の使用状態を示す説明図ある。
図示されるように、本考案の帽子用携帯電話機保持具１は、軽量小型形状を有しているため着脱が容易であると共に、保持具１０の一端部に耳掛けフック３０を備えているため、使用者の外耳部位Ｙの上部から口元にかけて傾けた状態で安定的に装着できると共に、保持具１０の一端部に携帯電話機Ｋの落下防止用のフック穴４０を備えているため、そのフック穴４０に、携帯電話機ＫのストラップＳを引っ掛けることにより携帯電話機Ｋの落下防止が図れるものである。
【産業上の利用可能性】
【００３８】
本考案の携帯電話機保持具は、携帯電話機が広く普及して需要が高いことや、極めて簡単な構造で安価に製造することができることから、メーカーの新製品の販促景品としてや、銀行などの勧誘景品としてや、スポーツクラブなどのロゴマークを入れたバッジとしてや、観光地のお土産品としても広く利用できることから、本考案における携帯電話機保持具の産業上の利用可能性は大とするものと解する。
【符号の説明】
【００３９】
１    携帯電話機保持具
１０  保持部
１１  ボックス保持体
１２  弾性部材
１３  挿入口
２０  係止部
２１  係止具
２２  係止クリップ
２３  面ファスナー
２４  開口口
３０  耳掛け部
３１  耳掛けフック
４０  フック穴
５０  面ファスナー
Ｋ    携帯電話機
Ｃ    帽子
Ｓ    ストラップ
Ｙ    外耳部位
【図１】
0003167714.tif 000003
【図２】
0003167714.tif 000004
【図３】
0003167714.tif 000005
【図４】
0003167714.tif 000006